(57)【要約】【課題】レバーの係止力を高める。【解決手段】雌ハウジング１０の収容溝１４内に、係合部５２と操作部６３を両端に設けたレバー５０が軸１７Ａを中心に回動可能に支持され、係合部５２を相手の雄ハウジング３０の被係合面３８に係合してレバー５０を回動操作した場合のてこ作用により、両ハウジング１０，３０が嵌合される。レバー３０は、収容溝１４内に設けられた一対の仮保持片２５の係止突起２６により係合部５２が弾性的に係止されることで、操作部６３側が持ち上がった斜めをなす始端姿勢に仮保持される。操作部６３とは回動中心を挟んで最も離間した位置で係止するから、当たりやすい操作部６３側に異物が当たった場合にも有効に回動を係止でき、すなわち高い係止力が得られる。両ハウジング１０，３０の嵌合に伴い、解除部４２が両仮保持片２５を強制的に開き変形させて、仮保持が自動解除される。【選択図】図９
2007165251.tif 000002
【特許請求の範囲】
【請求項１】
一方のハウジングに設けられた収容溝内には、係合部と操作部とが両端に設けられたレバーの長さ方向の途中位置が回動可能に軸支され、前記係合部を他方のハウジングの被係合部に係合しつつ前記操作部により前記レバーを回動操作した場合のてこ作用によって、前記両ハウジングが嵌合されるようにしたレバー式コネクタであって、
前記レバーはこのレバーを軸支した前記一方のハウジングが前記他方のハウジングに所定量嵌合されたのち回動操作されるようになっているとともに、
前記レバーが、前記一方のハウジングが前記他方のハウジングに初めに所定量嵌合される間は前記係合部が前記被係合部とは干渉せず、回動操作されて初めて前記係合部が前記被係合部と係合される所定姿勢を取って前記一方のハウジングに対して仮保持される仮保持手段が設けられており、
この仮保持手段は、前記収容溝内に、前記レバーの係合部に係止する係止部を設けることにより構成されていることを特徴とするレバー式コネクタ。
【請求項２】
前記係止部が、前記レバーの前記係合部に弾性的に係止可能な弾性係止片により構成されているとともに、前記他方のハウジングには、前記両ハウジングが所定量嵌合された場合に前記弾性係止片と係合してこれを強制的に弾性変位させることにより前記レバーの係合部に対する係止を解除する解除部が設けられていることを特徴とする請求項１記載のレバー式コネクタ。
【請求項３】
前記他方のハウジングには、所定姿勢に仮保持された前記レバーを当てて前記一方のハウジングが前記所定量嵌合された位置に仮止めする仮止め手段を備えていることを特徴とする請求項１または請求項２記載のレバー式コネクタ。
【請求項４】
前記レバーは、前記一方のハウジングの収容溝内に、回動方向が互いに逆となる対称姿勢で装着可能となっていることを特徴とする請求項１ないし請求項３のいずれかに記載のレバー式コネクタ。
【発明の詳細な説明】
【技術分野】
【０００１】
本発明は、レバー式コネクタに関する。
【背景技術】
【０００２】
従来レバー式コネクタの一例として、特許文献１に開示されたものが知られている。これは、図１８及び図１９に示すように、レバー１の形状が、先端に突部２を備えた一対のレバー板３が間隔を開けて配されてその他端同士が操作部４により連結された二股状となっており、このレバー１が雌ハウジング５の両側面を跨ぐようにして回動可能に軸６で支持されている。一方、相手の雄ハウジング７のフード部７Ａの側壁には、レバー板３の突部２が係止される係止孔８が開口されている。  
そして、突部２を係止孔８に係止した状態で操作部４を押してレバー１を回動操作すると、突部２が支点、操作部４が力点となったてこ作用を呈して、小さな嵌合力で両ハウジング５，７を嵌合できるようになっている。
【特許文献１】特開平１１−２９７４０９号公報
【発明の開示】
【発明が解決しようとする課題】
【０００３】
しかるに従来のものは、操作の際のバランスを取る等の理由から、レバー１が二股状に形成されて各レバー板３が雌ハウジング５の左右の両側面の外側に配されているため、それだけレバー１を含んだ雌ハウジング５の横幅が大きくなり、またそれを嵌合する雄ハウジング７のフード部７Ａも幅広とする必要があって、コネクタが大型化するという問題があった。  
本発明は上記のような事情に基づいて完成されたものであって、その目的は、小型化を実現したレバー式コネクタを提供するところにある。
【課題を解決するための手段】
【０００４】
上記の目的を達成するための手段として、請求項１の発明は、一方のハウジングに設けられた収容溝内には、係合部と操作部とが両端に設けられたレバーの長さ方向の途中位置が回動可能に軸支され、前記係合部を他方のハウジングの被係合部に係合しつつ前記操作部により前記レバーを回動操作した場合のてこ作用によって、前記両ハウジングが嵌合されるようにしたレバー式コネクタであって、前記レバーはこのレバーを軸支した前記一方のハウジングが前記他方のハウジングに所定量嵌合されたのち回動操作されるようになっているとともに、前記レバーが、前記一方のハウジングが前記他方のハウジングに初めに所定量嵌合される間は前記係合部が前記被係合部とは干渉せず、回動操作されて初めて前記係合部が前記被係合部と係合される所定姿勢を取って前記一方のハウジングに対して仮保持される仮保持手段が設けられており、この仮保持手段は、前記収容溝内に、前記レバーの係合部に係止する係止部を設けることにより構成されている構成としたところに特徴を有する。
【０００５】
請求項２の発明は、請求項１に記載のものにおいて、前記係止部が、前記レバーの前記係合部に弾性的に係止可能な弾性係止片により構成されているとともに、前記他方のハウジングには、前記両ハウジングが所定量嵌合された場合に前記弾性係止片と係合してこれを強制的に弾性変位させることにより前記レバーの係合部に対する係止を解除する解除部が設けられているところに特徴を有する。
【０００６】
請求項３の発明は、請求項１または請求項２に記載のものにおいて、前記他方のハウジングには、所定姿勢に仮保持された前記レバーを当てて前記一方のハウジングが前記所定量嵌合された位置に仮止めする仮止め手段を備えているところに特徴を有する。  
請求項４の発明は、請求項１ないし請求項３のいずれかに記載のものにおいて、前記レバーは、前記一方のハウジングの収容溝内に、回動方向が互いに逆となる対称姿勢で装着可能となっているところに特徴を有する。
【発明の効果】
【０００７】
＜請求項１の発明＞
１枚板のレバーが一方のハウジングの内部の収容溝に収められる構造であるから、レバーが二股となってハウジングの両面に跨って配されるものと比較すると、レバーの厚み、すなわちレバーを含んだハウジングの幅が減少でき、コネクタの小型化が図られる。  
また、レバーが所定姿勢を取って一方のハウジングに仮保持されるから、レバーの係合部が相手の被係合部と干渉することなく一方のハウジングが他方のハウジングに向けて嵌合され、所定量嵌合されると、係合部が被係合部の近傍に正規に位置し、引き続いてレバーの回動操作を行った場合に、係合部が被係合部に正確に係合しててこ作用が呈せられる。もって、コネクタの嵌合操作をスムーズに行うことができる。  
特に、レバーを所定姿勢に仮保持する手段として、レバーの一端に設けられた係合部に対して、収容溝内に設けられた係止部を係止した構造としており、言い換えると、操作部とは回動中心を挟んで最も離間した位置で係止するのであるから、当たりやすい操作部側に異物が当たった場合にも有効に回動を係止でき、すなわち高い係止力を得ることができる。
【０００８】
＜請求項２の発明＞
一方のハウジングが他方のハウジングに対して所定量嵌合されると、他方のハウジングに設けられた解除部が、弾性係止片を強制的に撓み変形させてレバーに対する係止が解除され、引き続いてレバーを回動操作することができる。  
＜請求項３の発明＞
一方のハウジングが他方のハウジングに向けて所定量嵌合されると、レバーが他方のハウジングに設けられた仮止め手段に当たって、一方のハウジングが一旦仮止めされる。一方のハウジングを、レバーの回動操作を開始する位置にスムーズにかつ確実に持ち来すことができる。  
＜請求項４の発明＞
レバーが対称姿勢で選択的に装着できるようになっているから、操作スペース等の条件を考慮した場合に、設置個所等の使用範囲を広げることができる。
【発明を実施するための最良の形態】
【０００９】
＜実施形態＞
以下、本発明の一実施形態を図１ないし図１７に基づいて説明する。  
この実施形態では、いわゆるてこ式のレバー式コネクタを例示しており、図９に示すように、互い嵌合される一対の雌側のハウジング１０（以下、雌ハウジング１０という）と、雄側のハウジング３０（以下、雄ハウジング３０という）と、上記の雌ハウジング１０に装着されるレバー５０とから構成されている。本コネクタはまた、ハイブリッド式である。
【００１０】
雌ハウジング１０は、合成樹脂材により角柱を横臥させたような形状に形成され、その内部には、複数ずつの大きさを異にする３種類のキャビティ１１Ａ，１１Ｂ，１１Ｃが、上下方向を向いた姿勢で、同雌ハウジング１０の長さ方向の両側縁に沿うようにして２列に並んで形成されている。各キャビティ１１Ａ，１１Ｂ，１１Ｃ内には、対応した大きさの３種類の雌端子（図示せず）が上方から挿入され、抜け止めされて収容されるようになっている。  
なお、雌ハウジング１０における図１の左端面には、手前側と奥側の端縁に沿って、誤嵌合防止用のリブ１２が立てられている。
【００１１】
雄ハウジング３０は例えば機器一体型であって、図７にも示すように、合成樹脂製の機器のケーシングの外壁３１から、上記の雌ハウジング１０を嵌合可能なフード部３２を設けた形状となっている。フード部３２における同図の左側の内壁には、手前側と奥側の隅部において、上記のリブ１２が嵌合される嵌合溝３３が形成されている。  
フード部３２の底面からは、大小３種類の雄端子３５Ａ，３５Ｂ，３５Ｃが、手前側と奥側の側縁に沿い、かつ上記の雌ハウジング１０側のキャビティ１１Ａ，１１Ｂ，１１Ｃと対応した位置ごとに突出して装着されている。
【００１２】
雌ハウジング１０には、レバー５０を収容するための収容溝１４が形成されている。この収容溝１４は、雌ハウジング１０の幅方向の中央部において、全幅の１／７程度の幅を持って長さ方向に貫通して形成されている。収容溝１４の内部構造は、図３における左右方向の対称に形成され、左右方向（長さ方向）の中央部には、底板１５が両側の壁面にわたって張られている。また、左右方向の両端よりもそれぞれ少し内方に入った位置で、かつ中央高さよりも少し上方位置には、底板１５の半分弱の長さの受け板１６が、同じく両側の壁面の間に水平姿勢で張られている。
【００１３】
また、収容溝１４内の上縁に寄った位置における長さ方向の中心を挟んだ両側、詳細には上記した左右の受け板１６よりも内側に入った位置には、左右一対の軸１７Ａ，１７Ｂが設けられている。ただし両軸１７Ａ，１７Ｂは、図１に示すように、収容溝１４の幅のほぼ半分の高さ寸法に留められ、右側の軸１７Ａは手前側の壁面から、左側の軸１７Ｂは奥側の壁面からそれぞれ突出形成されている。
【００１４】
レバー５０は合成樹脂製であって、図４にも示すように、収容溝１４の幅よりも若干小さい厚さで、かつ雌ハウジング１０の全長よりも少し長い細長形状に形成されている。より詳細には、図３に示すように、長さ方向の中央部分が、収容溝１４の深さよりも若干小さい縦幅を持った本体部５１となっており、本体部５１の前縁の下部側から係合部５２が突出形成されている。係合部５２の先端縁５２Ａは、その上面が緩い上り勾配に形成され、この先端縁５２Ａの上端が、詳しくは後記する雄ハウジング３０の被係合面３８（図９参照）に係合可能となっている。  
係合部５２の下面には、根元から二段階に立ち上がった段差面５３が形成され、さらに先端縁５２Ａに向けて上り勾配の傾斜面５４が形成されている。
【００１５】
本体部５１における係合部５２が突設された箇所よりも上方の先端縁は、内側（図３の左側）に向けて上り勾配となった傾斜縁５１Ａとなっており、この傾斜縁５１Ａから少し内方に入った位置で、かつ上縁に近い位置には、軸１７Ａ（１７Ｂ）が回動可能に嵌合する軸孔５６が形成されている。レバー５０の手前側の側面における軸孔５６よりも先の領域には、軸孔５６の直径に等しい幅を持ち、かつレバー５０の厚さの半分弱の深さを持った導入溝５７が、軸孔５６から傾斜縁５１Ａに開口して形成されている。
【００１６】
レバー５０の本体部５１の後側には、下縁が張り出されて収容溝１４の深さにほぼ等しい縦幅となった幅広部５９が形成されており、この幅広部５９には、もう一方の軸１７Ｂ（１７Ａ）を嵌めて摺動可能に案内するガイド溝６０が形成されている。このガイド溝６０は、上記した軸孔５６を中心とした円弧状に形成され、上端が軸孔５６と同じ高さ位置で、下端が幅広部５９の下縁付近に達している。
【００１７】
幅広部５９の後側には、逆に下縁が上げられることで縦幅が狭くなった幅狭部６２が形成され、さらにその後側、すなわち係合部５２とは反対の基端側には、操作部６３が形成されている。  
操作部６３には、後方に延びたのち垂下されたＬ字形をなす枠体６４が備えられており、この枠体６４の上面がレバー５０の回動操作用の押圧面６４Ａとなっている。この枠体６４は、弾性変形可能なロック片を兼ねていて、その下縁がロック縁６５となっており、このロック縁６５側が、枠体６４の上端側を中心として、レバー５０の板面方向に沿って弾性変形可能となっている。  
枠体６４には、垂下部分の両枠辺の間に差し渡されるようにして解除操作部６６が形成され、この解除操作部６６を押圧することによって枠体６４を強制的に弾性変形できるようになっている。枠体６４の両側には一対の保護壁６８が形成され、異物が当たる等で枠体６４が誤って弾性変形することから保護するようになっている。
【００１８】
上記のような構造になるレバー５０が収容溝１４内に装着される。レバー５０は、図３の矢線に示すように、収容溝１４に設けられた一方の軸１７Ａを導入溝５７を通して軸孔５６に嵌め、他方の軸１７Ｂをガイド溝６０に嵌めることにより、例えば図９に示すように、軸１７Ｂがガイド溝６０の下端に位置しつつ操作部６３側が持ち上げられた斜めをなす始端姿勢と、図１４に示すように、軸１７Ｂがガイド溝６０の上端に位置しつつほぼ水平をなす終端姿勢との間で回動可能に支持されている。レバー５０が始端姿勢にあるときには、先端の係合部５２が斜め姿勢となって、雌ハウジング１０における図９の右側の端面よりも所定寸法内方に退避し、終端位置に向けて回動されるにしたがって、係合部５２が水平姿勢に近づいて雌ハウジング１０の右端面から突出するようになっている。  
なおレバー５０は、上記とは左右対称とし、同様に図１５に示す始端姿勢と、図１７に示す終端姿勢との間で回動可能に支持できるようになっている。
【００１９】
雌ハウジング１０には、レバー５０を図９または図１５に示す始端姿勢に仮保持する仮保持手段が設けられている。図２及び図３に示すように、雌ハウジング１０の右端面と左端面とには、それぞれの上部側に、レバー５０が終端位置まで回動された場合に、操作部６３を納めることが可能な収納凹部１９が上面に開口して形成されている。  
レバー５０が終端位置まで回動された際には、図１４に示すように、幅狭部６２の下面が一方の受け板１６で受けられ、また係合部５２の上面の根元側が、他方の受け板１６の下面に当てられるようになっている。
【００２０】
雌ハウジング１０の右端面と左端面との下部側には、上記した収納凹部１９との間に仕切壁２０を挟んで係止用凹部２３が形成されている。係止用凹部２３は下面に開口して形成されているとともに、仕切壁２０には、収納凹部１９と係止用凹部２３とを連通する連通溝２１が、収容溝１４から続いて形成されている。したがってレバー５０が終端位置に回動された場合は、係合部５２が連通溝２１に嵌ってほぼ水平姿勢を取るようになっている。
【００２１】
仕切壁２０に切られた連通溝２１の両側縁には、その内方の端部に寄った位置から垂下するようにして、一対の仮保持片２５が対向して形成されている。両仮保持片２５は、上端部を支点として、下端側が互いに接離する方向に弾性変形可能となっている。この仮保持片２５の対向した面の下端部寄りの位置には、レバー５０の係合部５２の先端側の上面に係止する係止突起２６が形成されている。係止突起２６の下面側が切り立った係止面２６Ａとなっており、ただしこの係止面２６Ａは、始端位置にあるレバー５０の係合部５２の傾斜にほぼ倣って、内側に向けて上り勾配となった傾斜姿勢となっている。また、係止突起２６の上面は、テーパ面２６Ｂとされている。
【００２２】
両仮保持片２５の外側の端面には、解除用突起２８が形成されている。この解除用突起２８は、後記する雄ハウジング３０側の解除部４２と係合して仮保持片２５を相手の仮保持片２５から離間する方向に弾性変形させるように機能するものであり、係止突起２６とほぼ同じ高さ位置に形成されている。両解除用突起２８は、図２に示すように、頂面２８Ａの上下両側に斜面２８Ｂが形成された台形断面をなし、頂面２８Ａを対向させた姿勢で形成されている。
【００２３】
雄ハウジング３０のフード部３２における左右の内壁には、幅方向の中央部でかつ上端よりも少し下方位置から下端にわたって縦溝３７が形成されており、この縦溝３７内にはレバー５０の係合部５２の先端側がほぼ緊密に進入可能であって、縦溝３７の上面が、係合部５２の先端の上面が係合可能な被係合面３８とされている。この被係合面３８は、奥側（外側）に向けて若干上り勾配に形成されている。
【００２４】
フード部３２の底面における左右両端部に寄った位置には、所定高さの突当壁４０が形成されている。上記したようにレバー５０が始端位置に保持された状態で、雌ハウジング１０が雄ハウジング３０のフード部３２内に嵌合され、所定量嵌合されると、図１２に示すように、レバー５０の係合部５２の下面の傾斜面５４が突当壁４０に当たることで、雌ハウジング１０の嵌合が一旦規制される。これが雌ハウジング１０の初期嵌合位置であって、この位置では、レバー５０の係合部５２の先端が、対応する被係合面３８から内方の斜め下方に所定寸法控えて位置するようになっており、後記するようにレバー５０が軸１７Ａを中心に終端位置に向けて回動されると、所定角度回動されたところで、係合部５２の先端が被係合面３８の内側の端部に引っ掛かるような設定となっている。
【００２５】
フード部３２の左右の内壁における縦溝３７の両側縁には、その上端に寄った位置において、一対の解除部４２が内方に向けて突出形成されている。この解除部４２は、図８に示すように、幅広の頂面４２Ａの上下に傾斜面４２Ｂを設けた台形断面をなし、背中合わせの姿勢で形成されており、その内方突出端側が、雌ハウジング１０側の仮保持片２５に設けられた解除用突起２８と係合可能な位置まで達している。  
上記のように雌ハウジング１０が初期嵌合位置まで嵌合されたところで、図１１に示すように、解除用突起２８が解除部４２に乗り上げることで両仮保持片２５が所定寸法開くように弾性変形し、両係止突起２６がレバー５０の係合部５２から外れて、レバー５０の仮保持が解除されるようになっている。
【００２６】
また、フード部３２の左右の内壁における中央幅位置の上端には、レバー５０の枠体６４のロック縁６５に係止して、レバー５０を終端位置に保持するためのロック突起４４が形成されている。ロック突起４４は、雌ハウジング１０の収納凹部１９内に突出し、下面が切り立った係止面４４Ａに、上面がテーパ状のガイド面４４Ｂとされている。
【００２７】
続いて、本実施形態の作用を説明する。  
雌ハウジング１０側ではレバー５０が先に組み付けられる。図３に示すように、レバー５０の先端が収容溝１４内に挿入されつつ、一方の軸１７Ａが導入溝５７から軸孔５６に嵌められるとともに、他方の軸１７Ｂがガイド溝６０に嵌められる。そして、図９に示すように、レバー５０の係合部５２の先端が、両仮保持片２５の係止突起２６に係止されることで、レバー５０が同図の反時計回り方向に回動することが規制され、また軸１７Ｂがガイド溝６０の下端に当たることで、レバー５０が時計回り方向に回動することが規制され、これによりレバー５０が始端位置に仮保持された状態となる。  
この状態で、雌ハウジング１０の各キャビティ１１Ａ，１１Ｂ，１１Ｃに雌端子が挿入されて収容される。
【００２８】
雌雄のハウジング１０，３０の嵌合は、次のような手順で行われる。上記のようにレバー５０を仮保持した雌ハウジング１０が、図９の矢線に示すように、雄ハウジング３０のフード部３２内に嵌合される。嵌合が進み、図１２に示すように、レバー５０の係合部５２の傾斜面５４が、フード部３２の底面の突当壁４０に当たったところで一旦嵌合が規制され、すなわち初期嵌合位置に至る。この間に、雄ハウジング３０側の解除部４２が相対的に上昇し、上側の傾斜面４２Ｂが解除用突起２８の下側の傾斜面２８Ｂに当たり、傾斜に倣って両仮保持片２５を次第に開くように弾性変形させ、上記のように雌ハウジング１０が初期嵌合位置まで嵌合されたところで、図１１に示すように、解除用突起２８の頂面２８Ａが解除部４２の頂面４２Ａに乗り上げることにより、仮保持片２５が大きく開き、両係止突起２６がレバー５０の係合部５２から外れて、レバー５０の仮保持が解除される。
【００２９】
続いてレバー５０の操作部６３を押し込むと、レバー５０が軸１７Ａを中心として図１２の反時計回り方向に回動し、所定量回動されると、図１３に示すように、係合部５２の先端が、フード部３２に設けられた被係合面３８の内側の端部に引っ掛かる。したがって操作部６３の押圧を継続すると、操作部６３を力点、被係合面３８に係止している係合部５２を支点、及び軸孔５６を作用点としてレバー５０が回動し、軸１７Ａが押し下げられるようにして雌ハウジング１０が雄ハウジング３０のフード部３２内に次第に嵌合される。
【００３０】
この場合、係合部５２が被係合面３８に係合した位置（支点）から操作部６３（力点）までの長さが、同支点から軸孔５６（作用点）までの長さのほぼ４倍となっているから、操作部６３に加えた操作力は、軸孔５６を介して雌ハウジング１０に対してほぼ４倍となって作用する。このようなてこ作用を利用することで、雌雄の端子金具が接触を開始して摩擦抵抗が増大するにも拘わらず、両ハウジング１０，３０は小さな力でスムーズに嵌合される。
【００３１】
レバー５０の回動操作が進み、図１４に示すように水平な終端姿勢まで回動されると、雌ハウジング１０がフード部３２の底面に達する正規位置まで嵌合され、対応した雌雄の端子金具同士が正規に接続される。底面の突当壁４０は、レバー５０の段差面５３に嵌って逃がされる。この間に、操作部６３の枠体６４が内側に撓み変形しつつ押し込まれ、そののち弾性復帰してロック縁６５がロック突起４４の下面に係止されることでレバー５０がロックされ、ひいては両ハウジング１０，３０が正規の嵌合状態に保持される。一方、解除部４２が、仮保持片２５の解除用突起２８の上方に通過するため、両仮保持片２５は自然状態に復元変形する。係合部５２は、両係止突起２６の上方位置において両仮保持片２５の間に挿通された状態となる。
【００３２】
雌雄のハウジング１０，３０の嵌合を外す場合は、図１４の状態から解除操作部６６を押して枠体６４を内方に撓み変形させると、ロック突起４４に対する係止が解除されるから、その状態から雌ハウジング１０の上端を摘んで引き抜くと、レバー５０を軸１７Ａを中心として時計回り方向に回動させつつ、雌ハウジング１０を雄ハウジング３０のフード部３２から抜き取ることができる。
【００３３】
またレバー５０は、図１５に示すように、雌ハウジング１０の収容溝１４に対し、上記とは左右逆向きの姿勢により装着して始端位置に仮保持することができる。  
この場合も、雌ハウジング１０が雄ハウジング３０のフード部３２内に嵌合されて、図１６に示す初期嵌合位置に至るまでの間にレバー５０の仮保持が解除される。そして、続いてレバー５０の操作部６３を押し込むと、レバー５０が軸１７Ｂを中心として同図の時計回り方向に回動し、所定量回動されたところで、係合部５２の先端が被係合面３８の内側の端部に引っ掛かり、さらに押圧を継続すると、同様のてこ作用を呈して雌ハウジング１０が雄ハウジング３０のフード部３２内に次第に嵌合される。  
図１７に示すように、レバー５０が水平な終端姿勢まで回動されると、両ハウジング１０，３０が正規に嵌合され、枠体６４のロック縁６５がロック突起４４に係止されることで、両ハウジング１０，３０が正規嵌合状態に保持される。
【００３４】
以上説明したように本実施形態によれば、いわゆるてこ式のレバー式コネクタにおいて、１枚板からなるレバー５０を雌ハウジング１０の内部の収容溝１４に収める構造としたから、従来のようにレバーが二股となってハウジングの両面に跨って配されるものと比較すると、二股のレバーの１枚の板厚分だけ、レバー５０を含んだ雌ハウジング１０の幅が減少でき、それに伴い相手の雄ハウジング３０のフード部３２の幅も減少できて、コネクタ全体の小型化を図ることができる。またレバー５０が収容溝１４の両側面で挟まれた状態となるから、回動操作時に軸支部分等でこじり力が作用した場合にも、レバー５０が外れるおそれがない。
【００３５】
レバー５０は、所定の始端姿勢を取って雌ハウジング１０に仮保持されるから、レバー５０の係合部５２がフード部３２の内面、特にロック突起４４と干渉することなく、雌ハウジング１０が雄ハウジング３０のフード部３２内に嵌合され、初期嵌合位置まで嵌合されると、係合部５２が被係合面３８の近傍に正規に位置し、引き続いてレバー５０の回動操作を行った場合に、係合部５２が被係合面３８に正確に係合しててこ作用が呈せられる。もって、コネクタの嵌合操作をスムーズに行うことができる。  
特に、レバー５０を所定姿勢に仮保持する手段として、レバー５０の先端に設けられた係合部５２に対して、収容溝１４内に設けられた仮保持片２５で弾性的に係止した構造としており、言い換えると、操作部６３とは回動中心を挟んで最も離間した位置で係止するのであるから、当たりやすい操作部６３側に異物が当たった場合にも有効に回動を係止でき、すなわち高い係止力を得ることができる。
【００３６】
雌ハウジング１０が雄ハウジング３０のフード部３２内において初期嵌合位置に至るまでに、仮保持片２５によるレバー５０の仮保持が自動的に解除されて、引き続きレバー５０を回動操作することができ、一連の嵌合操作をスムーズに行うことができる。  
また、レバー５０が左右対称姿勢で選択的に装着できるようになっているから、回動操作のスペース等の条件を考慮した場合に、設置個所等の使用範囲を広げることができる。
【００３７】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。  
（１）上記実施形態では、レバーを雌ハウジングの収容溝に対して左右対称姿勢で装着できる場合を例示したが、一姿勢のみで装着できる形式のものにも同様に適用することができる。  
（２）コネクタの形式としては、機器一体型に限らず、ワイヤ−ワイヤ形式のコネクタにも同様に適用できる。  
（３）またハイブリッド式に限らず、１種類の端子金具を収容した形式のコネクタにも適用可能である。
【図面の簡単な説明】
【００３８】
【図１】本発明の一実施形態に係る雌ハウジングの平面図
【図２】同側面図
【図３】レバーの装着動作を示す縦断面図
【図４】レバーの平面図
【図５】同右側面図
【図６】同左側面図
【図７】雄ハウジングの平面図
【図８】同横断面図
【図９】雌雄のハウジングの嵌合前の状態を示す縦断面図
【図１０】嵌合し初めの状態の横断面図
【図１１】レバーの仮保持の解除動作を示す横断面図
【図１２】雌ハウジングが初期嵌合位置に至った状態の縦断面図
【図１３】レバーの回動操作に伴う雌雄のハウジングの嵌合動作を示す縦断面図
【図１４】雌雄のハウジングが正規嵌合した状態の縦断面図
【図１５】レバーを左右逆向きに装着した場合における始端姿勢に保持した状態の縦断面図
【図１６】その雌ハウジングが初期嵌合位置に至った状態の縦断面図
【図１７】その雌雄のハウジングが正規嵌合した状態の縦断面図
【図１８】従来例の斜視図
【図１９】その断面図
【符号の説明】
【００３９】
１０…雌ハウジング（一方のハウジング）
１４…収容溝
１７Ａ，１７Ｂ…軸
２５…仮保持片（弾性係止片；係止部；仮保持手段）
２６…係止突起
２８…解除用突起
３０…雄ハウジング（他方のハウジング）
３２…フード部
３７…縦溝
３８…被係合面
４０…突当壁（仮止め手段）
４２…解除部
５０…レバー
５２…係合部
５４…傾斜面
５６…軸孔
６３…操作部
【図１】
2007165251.tif 000003
【図２】
2007165251.tif 000004
【図３】
2007165251.tif 000005
【図４】
2007165251.tif 000006
【図５】
2007165251.tif 000007
【図６】
2007165251.tif 000008
【図７】
2007165251.tif 000009
【図８】
2007165251.tif 000010
【図９】
2007165251.tif 000011
【図１０】
2007165251.tif 000012
【図１１】
2007165251.tif 000013
【図１２】
2007165251.tif 000014
【図１３】
2007165251.tif 000015
【図１４】
2007165251.tif 000016
【図１５】
2007165251.tif 000017
【図１６】
2007165251.tif 000018
【図１７】
2007165251.tif 000019
【図１８】
2007165251.tif 000020
【図１９】
2007165251.tif 000021